(57)【要約】【課題】室内の空気を清浄化させる空気清浄機において、現在の室内の汚れ状態は認識できるが浄化するまでにどれくらいの時間を要するのかが判らないため運転時間をお知らせすることが望まれている。【解決手段】検出手段として、室内の雰囲気中のニオイ成分を検出するニオイ検出手段７と、粉塵を検出する粉塵検出手段６を設け、前記検出手段からの出力に基づいて検出対象の汚れレベルを判定するレベル判定手段１２と、前記レベル判定手段１２により判定された汚れレベルを時系列に記憶するレベル記憶手段１３と、前記レベル記憶手段１３に記憶された時系列の汚れレベルから浄化するまでの残り運転時間を予測表示する表示手段としての運転時間表示部８を備え、時系列に発生する汚れ量を記憶することで室内の汚れ量を予測し、運転風量による浄化時間を算出してお知らせすることができる。【選択図】図２
2009262020.tif 000002
【特許請求の範囲】
【請求項１】
室内の空気の汚れを検出する検出手段として室内の雰囲気中のニオイ成分を検出するニオイ検出手段と粉塵を検出する粉塵検出手段を備え、前記検出手段からの出力に基づいて検出対象の汚れレベルを判定するレベル判定手段と、前記レベル判定手段により判定された汚れレベルを時系列に記憶するレベル記憶手段と、前記レベル記憶手段に記憶された時系列の汚れレベルから浄化するまでの残り運転時間を予測表示する表示手段を備えたことを特徴とする空気清浄機。
【請求項２】
設定された運転風量毎に浄化するまでの残り運転時間の予測を修正し表示する表示手段を備えたことを特徴とする請求項１記載の空気清浄機。
【請求項３】
運転風量によって浄化するまでの残り運転時間をすべて表示する表示手段を備えたことを特徴とする請求項１記載の空気清浄機。
【請求項４】
前記検出手段による検出対象物によって残り運転時間の予測を修正し表示する表示手段を備えたことを特徴とする請求項１記載の空気清浄機。
【請求項５】
人検知手段を設けて、人を検知している時に残り運転時間を表示し、人を検知していない時には残り運転時間を表示しない表示手段を備えたことを特徴とする請求項１記載の空気清浄機。
【請求項６】
浄化するまでの残り運転時間の予測と同時に使用電力量も表示する表示手段を備えたことを特徴とする請求項１記載の空気清浄機。
【発明の詳細な説明】
【技術分野】
【０００１】
本発明は、粉塵センサーおよびガスセンサーにより室内の空気汚れを検出し、制御部がファンモーターを駆動して室内空気を吸い込み、清浄化手段を通して清浄化する空気清浄機に関するものである。
【背景技術】
【０００２】
従来、この種の空気清浄機は下記に記載されたものが知られている。
【０００３】
以下その空気清浄機について図１２および図１３を用いて説明する。図に示すように、空気清浄機本体１０１には、前面パネル１０２が設けられ、空気を清浄化するためのフィルター１０４と、フィルター１０４に通風するモーター１０５と、このモーター１０５を運転制御する制御部１０６を備えている。また、本体１０１の側面には室内の空気汚れを検出する光学式の粉塵センサー１０７と、粉塵センサー１０７により検出された空気汚れレベルを色にて表示する汚れ表示部１０８を設けている。
【０００４】
上記構成において、粉塵センサー１０７が汚れを検出したとき、制御部１０６は粉塵センサー１０７からの信号の大小により汚れ表示部１０８の色を変化させ、モーター１０５の回転数を変えて通風量を変化させ、室内の汚れに対応した清浄化運転を行なっている（例えば、特許文献１参照）。
【特許文献１】特許第２７５８６５５号公報
【発明の開示】
【発明が解決しようとする課題】
【０００５】
このような従来の空気清浄機では、現在の室内の汚れ状態は認識できるが浄化するまでにどれくらいの時間を要するのか判らないという課題があり、浄化するまでの運転時間をお知らせすることが要求されている。
【０００６】
本発明は、このような従来の課題を解決するものであり、時系列に発生する汚れ量を記憶することで室内の汚れ量を予測し、運転風量による浄化時間を算出して表示する空気清浄機を提供することを目的としている。
【課題を解決するための手段】
【０００７】
本発明の空気清浄機は上記目的を達成するために、室内の空気の汚れを検出する検出手段として室内の雰囲気中のニオイ成分を検出するニオイ検出手段と粉塵を検出する粉塵検出手段を備え、前記検出手段からの出力に基づいて検出対象の汚れレベルを判定するレベル判定手段と、前記レベル判定手段により判定された汚れレベルを時系列に記憶するレベル記憶手段と、前記レベル記憶手段に記憶された時系列の汚れレベルから浄化するまでの残り運転時間を予測表示する表示手段を備えた構成とするものである。
【０００８】
この手段により時系列に発生する汚れ量を記憶することで室内の汚れ量を予測し、運転風量による浄化時間を算出して表示する使い勝手のよい空気清浄機が得られる。
【０００９】
また本発明の空気清浄機は上記目的を達成するために、設定された運転風量毎に浄化するまでの残り運転時間の予測を修正し表示する表示手段を備えた構成とするものである。
【００１０】
この手段により設定された風量による浄化スピードの違いによって運転終了時間がそれぞれ予測されるので使用者は使用環境によって最適な運転風量を設定して運転できる空気清浄機が得られる。
【００１１】
また本発明の空気清浄機は上記目的を達成するために、運転風量によって浄化するまでの残り運転時間をすべて表示する表示手段を備えた構成とするものである。
【００１２】
この手段により使用者は設定風量を変更して確認することなく、一目で最適な運転風量を選択して設定できる空気清浄機が得られる。
【００１３】
また本発明の空気清浄機は上記目的を達成するために、前記検出手段による検出対象物によって残り運転時間の予測を修正し表示する表示手段を備えた構成とするものである。
【００１４】
この手段により同じ汚れレベルであっても検出する対象物の違いによって残りの運転時間を変更するので汚れに合った運転時間をお知らせできる空気清浄機が得られる。
【００１５】
また本発明の空気清浄機は上記目的を達成するために、人検知手段を設けて、人を検知している時に残り運転時間を表示し、人を検知していない時には残り運転時間を表示しない表示手段を備えた構成とするものである。
【００１６】
この手段により人がいる時のみ表示しているので無駄に電力を消費することなく使い勝手の良い空気清浄機が得られる。
【００１７】
また本発明の空気清浄機は上記目的を達成するために、浄化するまでの残り運転時間の予測と同時に使用電力量も表示する表示手段を備えた構成とするものである。
【００１８】
この手段により使用者は室内を浄化するための消費電力量も認識できるため、もっとも効率の良い運転風量を選択できるという使い勝手の良い空気清浄機が得られる。
【発明の効果】
【００１９】
本発明によれば、室内の空気の汚れを検出する検出手段として室内の雰囲気中のニオイ成分を検出するニオイ検出手段と粉塵を検出する粉塵検出手段を備え、前記レベル判定手段により判定された汚れレベルを時系列に記憶するレベル記憶手段と、前記レベル記憶手段に記憶された時系列の汚れレベルから浄化するまでの残り運転時間を予測表示する表示手段を備えた構成とすることで、記憶された時系列の汚れ量から室内の汚れ量を予測し現行の運転風量から浄化するまでの時間を算出して表示し使用者にお知らせすることで空気清浄機の浄化効果を視認できる使い勝手の良い空気清浄機を提供できる。
【００２０】
また、設定された運転風量毎に浄化するまでの残り運転時間の予測を修正し表示する表示手段を備えた構成とすることで、設定された風量による浄化スピードの違いによって運転終了時間がそれぞれ予測されるので使用者は使用環境によって最適な運転風量を設定して運転できる空気清浄機を提供できる。
【００２１】
また、運転風量によって浄化するまでの残り運転時間をすべて表示する表示手段を備えた構成とすることで、使用者は設定風量を変更して確認することなく、一目で最適な運転風量を選択して設定できる空気清浄機を提供できる。
【００２２】
また、前記検出手段による検出対象物によって残り運転時間の予測を修正し表示する表示手段を備えた構成とすることで、同じ汚れレベルであっても検出する対象物の違いによって残りの運転時間を変更するので汚れに合った運転時間をお知らせできる空気清浄機を提供できる。
【００２３】
また、人検知手段を設けて、人を検知している時に残り運転時間を表示し、人を検知していない時には残り運転時間を表示しない表示手段を備えた構成とすることで、人がいる時のみ表示しているので無駄に電力を消費することなく使い勝手の良い空気清浄機を提供できる。
【００２４】
また、浄化するまでの残り運転時間の予測と同時に使用電力量も表示する表示手段を備えた構成とするもので、使用者は室内を浄化するための消費電力量も認識できるため、もっとも効率の良い運転風量を選択できるという使い勝手の良い空気清浄機を提供できる。
【発明を実施するための最良の形態】
【００２５】
本発明の請求項１記載の発明は、室内の空気の汚れを検出する検出手段として室内の雰囲気中のニオイ成分を検出するニオイ検出手段と粉塵を検出する粉塵検出手段を備え、前記レベル判定手段により判定された汚れレベルを時系列に記憶するレベル記憶手段と、前記レベル記憶手段に記憶された時系列の汚れレベルから浄化するまでの残り運転時間を予測表示する表示手段を備えた構成としたものであり、記憶された時系列の汚れ量から室内の汚れ量を予測し、現行の運転風量から浄化するまでの時間を算出して表示し使用者にお知らせするという作用を有する。
【００２６】
また、設定された運転風量毎に浄化するまでの残り運転時間の予測を修正し表示する表示手段を備えた構成としたものであり、設定された風量による浄化スピードの違いによって運転終了時間がそれぞれ予測されるので使用者は使用環境によって最適な運転風量を設定して運転できるという作用を有する。
【００２７】
また、運転風量によって浄化するまでの残り運転時間をすべて表示する表示手段を備えた構成としたものであり、使用者は設定風量を変更して確認することなく、一目で最適な運転風量を選択して設定できるという作用を有する。
【００２８】
また、前記検出手段による検出対象物によって残り運転時間の予測を修正し表示する表示手段を備えた構成としたものであり、同じ汚れレベルであっても検出する対象物の違いによって残りの運転時間を変更するので汚れに合った運転時間をお知らせできるという作用を有する。
【００２９】
また、人検知手段を設けて、人を検知している時に残り運転時間を表示し、人を検知していない時には残り運転時間を表示しない表示手段を備えた構成としたものであり、人がいる時のみ表示しているので無駄に電力を消費しないという作用を有する。
【００３０】
また、浄化するまでの残り運転時間の予測と同時に使用電力量も表示する表示手段を備えた構成としたものであり、使用者は室内を浄化するための消費電力量も認識できるため、もっとも効率の良い運転風量を選択できるという作用を有する。
【００３１】
以下、本発明の実施の形態について図面を参照しながら説明する。
【００３２】
（実施の形態１）
図１〜図５に示すように、空気清浄機の本体１は略箱形に形成され、本体１の正面にはフロントパネルを設け、本体１の側面全体に吸気口２を形成している。本体１内には空気を清浄化するためフィルター３と、このフィルター３に通風するファンモーター４が備えられ、本体１天面には吹出口５が設けられている。ファンモーター４の駆動により吸気口２から空気が吸い込まれ、フィルター３を通って清浄された後、吹出口５から吹出される。
【００３３】
本体１側面には空気の汚れを検知する検出手段として汚れ検出手段として光学式の粉塵センサ６ａを備えた粉塵検出手段６が設けられ、本体１上面には空気の汚れを検知する検出手段としてガスセンサ７ａを備えたニオイ検出手段７が設けられている。
【００３４】
また本体１の正面上部には運転時間を表示する表示手段として設けた運転時間表示部８と、空気の汚れレベルを色変化で表示する汚れ表示部９を備えた操作部１０が設けられ、制御部１１を設けている。
【００３５】
制御部１１には、前記検出手段の検出した汚れに対応する出力信号を０〜５の汚れレベルに判定するレベル判定手段１２とこのレベル判定手段１２によって判定された汚れレベルを時系列的に記憶するレベル記憶手段１３を設けている。
【００３６】
上記構成において、電源が通電されると制御部１１は粉塵検出部６またはニオイ検出手段７で検出した出力信号が送られ、レベル判定手段１２により０〜５の汚れレベル値に変換する処理をおこない、レベル記憶手段１３にて時系列に記憶する。
【００３７】
操作部１０を自動運転に設定すると、制御部１１は現在の汚れレベル値に従ってファンモーター４を運転するものである。このとき粉塵検出手段６またはニオイ検出手段７の検出する汚れレベルに対するファンモーター４の送風量は図４に示す関係としている。
【００３８】
また、制御部１１は時系列に記憶した粉塵検出手段６の汚れレベル値またはニオイ検出手段７の汚れレベル値が５回連続で同じレベル値の場合に図５に示す汚れレベル値と運転風量から決められた予測運転時間を運転時間表示部８に表示し浄化終了までの運転時間をお知らせする。その後汚れレベル値の増減にともない図５に示す汚れレベル値に対する予測運転時間を変更し、浄化終了まで運転時間表示を継続する。また、運転途中に運転風量を変更された場合にも図５に示す汚れレベル値と運転風量から決められた予測運転時間に変更表示してお知らせする。ここでは各運転風量によって決められた予測運転時間は運転風量の比率に合わせて決定している。
【００３９】
以上のように室内に発生した汚れレベルが一定になると現在の運転風量から浄化終了時間をお知らせするので浄化効果を視認することができ使い勝手を向上することができる。
【００４０】
また、運転風量を切り替える毎に予測運転時間を変更表示したが、すべての運転風量に対する浄化終了の予測時間を同時に表示することで使用者が簡単に選択できるようにすることができ使い勝手を向上することができる。
【００４１】
また、図６に示すように粉塵検出手段６にて検出された汚れレベル値に対する予測運転時間をニオイ検出手段７にて検出された汚れレベル値に対する予測運転時間に対して運転風量が小さいほどさらに延長するようにすることで、粉塵のような比較的重い汚れの場合には小さい風量で時間をかけて効果的に集塵することができる。
【００４２】
（実施の形態２）
本実施の形態は前記実施の形態１と制御方法のみが異なり、同一構成のものは同一番号を付して詳しい説明は省略する。
【００４３】
図７および図８に示すように操作部１０に赤外線を検知する人検知部１３が設けられており、室内に人が入室すると人体から放射される赤外線を検出して人検知部１３は制御部１１へ信号を送り、赤外線を検出しなくなると信号を送信しないようにしている。この時の人検知部１３からの信号が出力されている間は人が在室しているので運転時間表示部８に予測運転時間を表示し、人検出部１３からの信号が出力されていない間は人が在室していないので運転時間表示部８に予測運転時間の表示をおこなわないようにしている。
【００４４】
以上のように運転時間を気にする使用者が在室している間のみ予測運転時間を表示しているので使い勝手に不便は無く、使用者が退室した後は予測運転時間を消灯するので無駄な電力が節約することができる。
【００４５】
また、予測運転時間と運転風量から使用電力量を算出して運転時間表示部８に使用電力量も表示するようにして使い勝手をさらに向上することもできる。
【００４６】
なお、本実施の形態１および実施の形態２では予測運転時間を表示するようにしたが、ＬＥＤランプ表示の数量の増減や色別表示により予測運転時間の目安表示をおこなってもよい。
【産業上の利用可能性】
【００４７】
検出する汚れ量に対しての浄化するまでの運転時間を表示することで空気清浄機としての目的達成までの必要時間をお知らせするので、冷房時や暖房時の設定温度までの到達時間を表示するなどのエアコンの運転制御にも適用できる。
【図面の簡単な説明】
【００４８】
【図１】本発明の実施の形態１の空気清浄機の一部破断の外観斜視図
【図２】同制御ブロック図
【図３】同制御フローチャート
【図４】同検出手段の検出レベル値に対する運転風量の相関図（（イ）粉塵検出手段の検出レベルに対する運転風量の相関図、（ロ）ニオイ検出手段の検出レベルに対する運転風量の相関図）
【図５】同検出手段の検出レベル値に対する運転風量毎の運転時間表示の相関図（（イ）粉塵検出手段の検出レベルに対する各運転風量毎の運転時間表示の相関図、（ロ）ニオイ検出手段の検出レベルに対する各運転風量毎の運転時間表示の相関図）
【図６】同検出手段の検出レベル値に対する運転風量毎の運転時間表示の相関図（（イ）粉塵検出手段の検出レベルに対する各運転風量毎の運転時間表示の相関図、（ロ）ニオイ検出手段の検出レベルに対する各運転風量毎の運転時間表示の相関図）
【図７】本発明の実施の形態２の制御ブロック図
【図８】同制御フローチャート
【図９】従来の空気清浄機の外観斜視図
【図１０】同検出部の汚れレベル値に対する運転風量の相関図
【符号の説明】
【００４９】
１    本体
２    吸気口
３    フィルター
４    ファンモーター
５    吹出口
６    粉塵検出手段
７    ニオイ検出手段
８    運転時間表示部
１１  制御部
１２  レベル判定手段
１３  レベル記憶手段
【図１】
2009262020.tif 000003
【図２】
2009262020.tif 000004
【図３】
2009262020.tif 000005
【図４】
2009262020.tif 000006
【図５】
2009262020.tif 000007
【図６】
2009262020.tif 000008
【図７】
2009262020.tif 000009
【図８】
2009262020.tif 000010
【図９】
2009262020.tif 000011
【図１０】
2009262020.tif 000012